(57)【要約】【課題】  連結部駆動機構を利用してワンタッチで上下ユニットの開閉動作を可能にするような機能だけではなく、連結部駆動機構と連動して着信時報知処理を行う機能を備える。【解決手段】  設定されている報知モードに応じて、着呼あるいはメッセージ受信時に、制御部２０１での制御に基づきモータ駆動回路２０２によりモータ２０３を駆動させてヒンジユニット３００の開閉駆動機構に駆動力を伝達し、上側ユニット１００と下側ユニット２００とを開閉（回動）動作させて筐体姿勢状態を変化させることによる報知処理を行う。この筐体の開閉・回動動作にあわせて従来型の報知処理（鳴音、発光、メッセージや画像の表示など）も行う。【選択図】  図１
2004173233.tif 000002
【特許請求の範囲】
【請求項１】
２つのユニットが当該２つのユニットを変形可能に連結させる可動連結部を介して結合され、該２つのユニットの相対位置を閉状態から開状態へあるいは開状態から閉状態へと開閉駆動させる連結部駆動装置を備えた携帯型情報端末装置であって、
着呼時あるいはメッセージ受信時に前記連結部駆動装置を制御して前記２つのユニットを開閉駆動させ所定の相対位置に移行させることによる報知を行う制御手段を備えることを特徴とする携帯型情報端末装置。
【請求項２】
２つのユニットが当該２つのユニットを変形可能に連結させる可動連結部を介して結合され、該２つのユニットの相対位置を閉状態から開状態へあるいは開状態から閉状態へと開閉駆動させる連結部駆動装置を備えた携帯型情報端末装置であって、
着呼時あるいはメッセージ受信時にその発信者情報や受信メッセージ情報に基づいて前記連結部駆動装置を制御して前記２つのユニットを開閉駆動させ所定の相対位置に移行させることによる報知を行う制御手段を備えることを特徴とする携帯型情報端末装置。
【請求項３】
前記制御手段は、着信未応答時に、前記２つのユニットを所定の相対位置となるように開閉駆動することを特徴とする請求項１または２に記載の携帯型情報端末装置。
【請求項４】
筐体の載置状態を検出する検出手段を更に備え、
前記制御手段は、前記検出手段により検出した筐体載置状態に基づいて前記開閉駆動制御を行うことを特徴とする請求項１から３のいずれか１項に記載の携帯型情報端末装置。
【請求項５】
前記制御手段は、前記着呼またはメッセージ受信時にその発信者情報や受信メッセージ情報に応じて前記２つのユニットの相対位置を変えるように駆動制御を行い、
前記発信者情報、受信メッセージ情報、相対位置についてのユーザ登録・設定を行う設定インタフェース手段をさらに有することを特徴とする請求項２から４のいずれか１項に記載の携帯型情報端末装置。
【請求項６】
前記制御手段は、前記２つのユニットを所定の開閉周期で繰り返し開閉動作させる制御を行うことを特徴とする請求項１から５のいずれか１項に記載の携帯型情報端末装置。
【請求項７】
前記携帯型情報端末装置の駆動用電源である電池の充電中／非充電中、あるいは電池残容量を検知する電池状態検知手段を更に備え、
前記制御手段は、前記電池状態検知手段により検知された充電中／非充電中、あるいは電池残容量に基づいて、前記連結部駆動装置の制御を行うことを特徴とする請求項１から６のいずれか１項に記載の携帯型情報端末装置。
【請求項８】
前記制御手段は、着信未応答（不在着信）時に、同一発信者からの所定時間内における着信未応答（不在着信）件数に応じて、前記上側ユニットと前記下側ユニットを所定の相対位置となるように駆動することを特徴とする請求項請求項１から７のいずれか１項に記載の携帯型情報端末装置。
【請求項９】
前記可動連結部は、１つのユニットに設けられたスライドレールと、他のユニットに設けられて該スライドレールにスライド可能に連結されたスライド部とからなるスライド機構であり、
前記連結部駆動装置は、前記２つのユニットの相対位置を前記スライドレールに沿ってスライド駆動させることを特徴とする請求項１から８のいずれか１項に記載の携帯型情報端末装置。
【請求項１０】
前記可動連結部は、前記２つのユニットを表示面に略垂直な回動軸で軸支する回動連結部であり、
前記連結部駆動装置は、前記２つのユニットの相対位置を前記回動軸を中心に回動駆動させることを特徴とする請求項１から８のいずれか１項に記載の携帯型情報端末装置。
【請求項１１】
上側ユニットと下側ユニットとがヒンジユニットにより結合され、前記上側ユニットと下側ユニットの相対位置を閉から開へあるいは開から閉状態へと開閉・回動駆動させるヒンジ駆動装置を備えた折り畳み型携帯型情報端末装置であって、
着呼時あるいはメッセージ受信時に前記ヒンジ駆動装置を制御して前記上側ユニット及び下側ユニットを開閉・回動駆動させ所定の相対角度に移行させることによる報知を行う制御手段を備えることを特徴とする携帯型情報端末装置。
【請求項１２】
上側ユニットと下側ユニットとがヒンジユニットにより結合され、前記上側ユニットと下側ユニットの相対位置を閉から開へあるいは開から閉状態へと開閉・回動駆動させるヒンジ駆動装置を備えた折り畳み型携帯型情報端末装置であって、
着呼時あるいはメッセージ受信時にその発信者情報や受信メッセージ情報に基づいて前記ヒンジ駆動装置を制御して前記上側ユニット及び下側ユニットを開閉・回動駆動させ所定の相対角度に移行させることによる報知を行う制御手段を備えることを特徴とする携帯型情報端末装置。
【請求項１３】
前記制御手段は、着信未応答時に、前記上側ユニットと前記下側ユニットを所定の相対角度となるように開閉・回動駆動することを特徴とする請求項１１または１２に記載の携帯型情報端末装置。
【請求項１４】
筐体の載置状態を検出する検出手段を更に備え、
前記制御手段は、前記検出手段により検出した筐体載置状態に基づいて前記開閉・回動駆動制御を行うことを特徴とする請求項１１から１３のいずれか１項に記載の携帯型情報端末装置。
【請求項１５】
前記制御手段は、前記着呼またはメッセージ受信時にその発信者情報や受信メッセージ情報に応じて前記上側ユニットと下側ユニットの開閉の角度を変えた駆動制御を行い、
前記発信者情報、受信メッセージ情報、開閉角度についてのユーザ登録・設定を行う設定インタフェース手段をさらに有することを特徴とする請求項１２から１４のいずれか１項に記載の携帯型情報端末装置。
【請求項１６】
前記制御手段は、前記上側ユニットと下側ユニットを所定の開閉周期で繰り返し開閉動作させる制御を行うことを特徴とする請求項１１から１５のいずれか１項に記載の携帯型情報端末装置。
【発明の詳細な説明】
【技術分野】
【０００１】
本発明は、例えば折り畳み型携帯電話機など、２つのユニットが連結されてなる携帯型情報端末装置に関する。
【背景技術】
【０００２】
ヒンジ部を備え、これにより表示器等を備えた上側ユニットと操作部等を備えた下側ユニットとが回動可能に結合され、開閉が自在な構造の折り畳み型携帯電話機が普及している。折り畳み型の携帯電話機として特に、ヒンジ駆動装置を備えた折り畳み型携帯電話機が考えられている。これは、モータ等から成るヒンジ駆動機構を内蔵することにより、ヒンジユニットの軸を中心に上下のユニットの開閉・回動動作を行わせるものである。
【０００３】
上記のようなヒンジ駆動装置を備える折り畳み型携帯電話機において、筐体面に上下ユニット開閉のためのスイッチを設け、このスイッチのワンタッチ押下に応じてモータを駆動させて上下ユニットの開閉（オープン／クローズ）を行わせる機能については既に考えられている。
【０００４】
一方、携帯電話機等の携帯型情報端末装置では、着呼時あるいは電子メール等のメッセージ受信時に所定の手段によりユーザに対してその報知を行っている。例えば、着信音、光の明滅、バイブレーション、文字や画像の表示等による報知である。
【０００５】
上述したようにヒンジ駆動装置を備える折り畳み型携帯電話機について考えられているが、その機能が十分には追求されてはおらず、使い勝手の良さ等の点で未だ不十分である。
【０００６】
また、特許文献１の折り畳み式携帯通信機器は、着信検出手段が着信を検出すると制御手段が、上側筐体部と下側筐体部とを開状態にさせるように駆動手段を制御し、着信時に筐体を即座に開状態にできる好適なものであるが、駆動手段と連動させた着信時報知処理により使い勝手の良さを向上させることについてまで考慮したものではない。
また、この問題は、ヒンジ部以外の方式によって２つの筐体（ユニット）が結合されてなる携帯電話機などの各種の携帯型情報端末装置においても同様である。
そこで、２つの筐体を連結させる連結部を開閉駆動させる連結部駆動機構と着信時報知処理とを連動させることを考える。
【特許文献１】特開２００２−２８１１１６号公報
【発明の開示】
【発明が解決しようとする課題】
【０００７】
本発明は、かかる問題点に鑑みてなされたものであり、上側と下側との２つのユニットがヒンジ部などの可動連結部を介して結合されてなり、その可動連結部を駆動させるヒンジ駆動装置などの連結部駆動装置を備えた携帯型情報端末装置について、連結部駆動機構を利用してワンタッチで上下ユニットの開閉動作を可能にするような機能だけではなく、連結部駆動機構と連動して着信時報知処理を行う機能を備えることにより、従来よりも使い勝手の良さを向上してユーザの利便性を向上させることのできる携帯型情報端末装置を提供することを目的とする。
【課題を解決するための手段】
【０００８】
かかる目的を達成するために、本発明は以下の特徴を備える。
請求項１記載の発明は、２つのユニットが当該２つのユニットを変形可能に連結させる可動連結部を介して結合され、該２つのユニットの相対位置を閉状態から開状態へあるいは開状態から閉状態へと開閉駆動させる連結部駆動装置を備えた携帯型情報端末装置であって、着呼時あるいはメッセージ受信時に連結部駆動装置を制御して２つのユニットを開閉駆動させ所定の相対位置に移行させることによる報知を行う制御手段を備えることを特徴としている。
なお、上記した可動連結部とは、例えばヒンジユニット、スライド機構、回動連結部などである。
【０００９】
請求項２記載の発明は、２つのユニットが当該２つのユニットを変形可能に連結させる可動連結部を介して結合され、該２つのユニットの相対位置を閉状態から開状態へあるいは開状態から閉状態へと開閉駆動させる連結部駆動装置を備えた携帯型情報端末装置であって、着呼時あるいはメッセージ受信時にその発信者情報や受信メッセージ情報に基づいて連結部駆動装置を制御して２つのユニットを開閉駆動させ所定の相対位置に移行させることによる報知を行う制御手段を備えることを特徴としている。
【００１０】
請求項３記載の発明は、上記した制御手段が、着信未応答時に、２つのユニットを所定の相対位置となるように開閉駆動することを特徴としている。
【００１１】
請求項４記載の発明は、筐体の載置状態を検出する検出手段を更に備え、上記した制御手段が、検出手段により検出した筐体載置状態に基づいて開閉駆動制御を行うことを特徴としている。
【００１２】
請求項５記載の発明は、上記した制御手段が、着呼またはメッセージ受信時にその発信者情報や受信メッセージ情報に応じて２つのユニットの相対位置を変えるように駆動制御を行い、発信者情報、受信メッセージ情報、相対位置についてのユーザ登録・設定を行う設定インタフェース手段をさらに有することを特徴としている。
【００１３】
請求項６記載の発明は、上記した制御手段が、２つのユニットを所定の開閉周期で繰り返し開閉動作させる制御を行うことを特徴としている。
【００１４】
請求項７記載の発明は、携帯型情報端末装置の駆動用電源である電池の充電中／非充電中、あるいは電池残容量を検知する電池状態検知手段を更に備え、上記した制御手段は、電池状態検知手段により検知された充電中／非充電中、あるいは電池残容量に基づいて、連結部駆動装置の制御を行うことを特徴としている。
【００１５】
請求項８記載の発明は、上記した制御手段が、着信未応答（不在着信）時に、同一発信者からの所定時間内における着信未応答（不在着信）件数に応じて、上側ユニットと下側ユニットを所定の相対位置となるように駆動することを特徴としている。
【００１６】
請求項９記載の発明は、上記した可動連結部が、１つのユニットに設けられたスライドレールと、他のユニットに設けられて該スライドレールにスライド可能に連結されたスライド部とからなるスライド機構であり、上記した連結部駆動装置は、２つのユニットの相対位置をスライドレールに沿ってスライド駆動させることを特徴としている。
【００１７】
請求項１０記載の発明は、上記した可動連結部が、２つのユニットを表示面に略垂直な回動軸で軸支する回動連結部であり、上記した連結部駆動装置は、２つのユニットの相対位置を回動軸を中心に回動駆動させることを特徴としている。
【００１８】
請求項１１記載の発明は、上側ユニットと下側ユニットとがヒンジユニットにより結合され、上側ユニットと下側ユニットの相対位置を閉から開へあるいは開から閉状態へと開閉・回動駆動させるヒンジ駆動装置を備えた折り畳み型携帯型情報端末装置であって、着呼時あるいはメッセージ受信時にヒンジ駆動装置を制御して上側ユニット及び下側ユニットを開閉・回動駆動させ所定の相対角度に移行させることによる報知を行う制御手段を備えることを特徴としている。
【００１９】
請求項１２記載の発明は、上側ユニットと下側ユニットとがヒンジユニットにより結合され、上側ユニットと下側ユニットの相対位置を閉から開へあるいは開から閉状態へと開閉・回動駆動させるヒンジ駆動装置を備えた折り畳み型携帯型情報端末装置であって、着呼時あるいはメッセージ受信時にその発信者情報や受信メッセージ情報に基づいてヒンジ駆動装置を制御して上側ユニット及び下側ユニットを開閉・回動駆動させ所定の相対角度に移行させることによる報知を行う制御手段を備えることを特徴としている。
【００２０】
請求項１３記載の発明は、上記した制御手段が、着信未応答時に、上側ユニットと下側ユニットを所定の相対角度となるように開閉・回動駆動することを特徴としている。
【００２１】
請求項１４記載の発明は、筐体の載置状態を検出する検出手段を更に備え、上記した制御手段が、検出手段により検出した筐体載置状態に基づいて開閉・回動駆動制御を行うことを特徴としている。
【００２２】
請求項１５記載の発明は、上記した制御手段が、着呼またはメッセージ受信時にその発信者情報や受信メッセージ情報に応じて上側ユニットと下側ユニットの開閉の角度を変えた駆動制御を行い、発信者情報、受信メッセージ情報、開閉角度についてのユーザ登録・設定を行う設定インタフェース手段をさらに有することを特徴としている。
【００２３】
請求項１６記載の発明は、上記した制御手段が、上側ユニットと下側ユニットを所定の開閉周期で繰り返し開閉動作させる制御を行うことを特徴としている。
【発明の効果】
【００２４】
以上の説明から明らかなように、本発明によれば、携帯型情報端末装置について、着呼時あるいはメッセージ受信時に発信者情報や受信メッセージ情報に基づき、２つのユニットを所定の相対位置に移行させることでの報知を行うことで利用者の利便性を向上させることができるという優れた効果を奏する。
さらに、報知時に、携帯型情報端末装置が閉じた状態であっても、２つのユニットを所定の相対位置に開動作制御させ、上側ユニットの一主表面（表示面）に配設されたスピーカ（報知用）や表示器を利用した大音量・大画面での効果的な報知を行うことができるという優れた効果を奏する。
【００２５】
特に請求項１記載の発明では、着信時に自動的に２つのユニットを所定の相対位置（開閉位置）に駆動させることによる報知を行うことができる。
【００２６】
特に請求項２記載の発明では、着信時にその発信者情報（発信者アドレス等）や受信メッセージ情報（優先度や特定キーワード等）に応じて自動的に２つのユニットを対応する相対位置（開閉位置）に駆動させることによる報知を行うことができる。
【００２７】
特に請求項３記載の発明では、着信未応答時に自動的に２つのユニットを所定の相対位置（開閉位置）に駆動させることによって不在着信を示すことができる。
【００２８】
特に請求項４記載の発明では、筐体の載置状態、例えば机上に閉じた状態で載置されている、等を検出してその状態に応じて自動的に２つのユニットを所定の相対位置（開閉位置）に駆動させることによる報知を行うことができる。
【００２９】
特に請求項５記載の発明では、着信時における相対位置の駆動による報知の機構に関する、対象の発信者や受信メッセージのタイプ（優先度）、それらに対応した相対位置（開閉位置）等についてユーザ設定を行う手段を備えたことにより、ユーザごとに各種の設定を工夫して２つのユニットを所定の相対位置（開閉位置）に駆動させることによる報知を行うことができる。
【００３０】
特に請求項６記載の発明では、着信時における相対位置の駆動の制御として、所定の相対位置（開閉位置）までの移行動作だけでなく、２つのユニットを報知期間に渡り所定の相対位置（開閉位置）で繰り返し開閉駆動させることによる報知を行うことができる。
【００３１】
特に請求項７記載の発明では、電池の充電中／非充電中や残容量に基づいて、上記した連結部駆動装置の各制御を行うことによる報知を行うことができる。
【００３２】
特に請求項８記載の発明では、同一発信者からの所定時間内における着信未応答（不在着信）件数に応じて、２つのユニットを所定の相対位置となるように駆動することによる報知を行うことができる。
【００３３】
特に請求項９記載の発明では、スライド機構により２つのユニットが連結された携帯型情報端末装置においても、連結部駆動装置による上述した各制御を行うことができる。
【００３４】
特に請求項１０記載の発明では、回動連結部により２つのユニットが連結された携帯型情報端末装置においても、連結部駆動装置による上述した各制御を行うことができる。
【００３５】
特に請求項１１記載の発明では、着信時に自動的に上下ユニットを所定の開閉位置（相対角度）に駆動させることによる報知を行うことができる。
【００３６】
特に請求項１２記載の発明では、着信時にその発信者情報（発信者アドレス等）や受信メッセージ情報（優先度や特定キーワード等）に応じて自動的に上下ユニットを対応する開閉位置（相対角度）に駆動させることによる報知を行うことができる。
【００３７】
特に請求項１３記載の発明では、着信未応答時に自動的に上下ユニットを所定の開閉位置（相対角度）に駆動させることによって不在着信を示すことができる。
【００３８】
特に請求項１４記載の発明では、携帯電話機筐体の載置状態、例えば机上に閉じた状態で載置されている、等を検出してその状態に応じて自動的に上下ユニットを所定の開閉位置（相対角度）に駆動させることによる報知を行うことができる。
【００３９】
特に請求項１５記載の発明では、着信時の開閉・回動駆動による報知の機構に関する、対象の発信者や受信メッセージのタイプ（優先度）、それらに対応した開閉・回動角度等についてユーザ設定を行う手段を備えたことにより、ユーザごとに各種の設定を工夫して上下ユニットを所定の開閉位置（相対角度）に駆動させることによる報知を行うことができる。
【００４０】
特に請求項１６記載の発明では、着信時の開閉・回動駆動の制御として、所定の開閉位置（相対角度）までの開閉・回動動作だけでなく、上下ユニットを報知期間に渡り所定の開閉位置（相対角度）で繰り返し開閉・回動駆動させることによる報知を行うことができる。
【発明を実施するための最良の形態】
【００４１】
以下、本発明の実施の形態を添付図面を参照しながら詳細に説明する。構成要素には記号を付与して区別する。
まず、本発明に係る携帯型情報端末装置を、ヒンジ駆動装置を備えた折り畳み型携帯電話機に適用した実施形態について説明する。
図１は、本発明の実施の形態における、ヒンジ駆動装置を備えた折り畳み型携帯電話機の構成を示す図である。また図２は、本実施形態の折り畳み型携帯電話機での着呼／メール受信報知モードにおける処理の手順を示すフローチャートである。
【００４２】
本実施形態は、ヒンジ駆動装置を備えワンタッチで筐体（上下ユニット）の開閉が自在な折り畳み型携帯電話機において、報知処理として、着信時（電話着呼時あるいはメール等のメッセージ受信時）に自動的に上側ユニット及び下側ユニットを開閉・回動させる形で報知を行うことで利用者の利便性の向上を図るものである。つまり、例えば折り畳み型携帯電話機の筐体が閉じた状態において着信を受けた時、ヒンジ駆動装置による駆動により上下ユニットを回動させて筐体を開く動作を行わせることでユーザに対する報知を行う。特に、着信時にその発信者情報あるいは受信メッセージ情報等に基づいて上側ユニット及び下側ユニットを開閉・回動させて報知する制御などを行う。
【００４３】
本発明の一実施の形態によるヒンジ駆動装置を備えた折り畳み型携帯電話機は、図１に示すように、上側ユニット１００と、下側ユニット２００と、これら上側ユニット１００及び下側ユニット２００をそれぞれの端部で回動・開閉自在に結合するヒンジユニット３００とから主に構成されている。上下の各ユニット１００、２００は、ヒンジユニット３００内を通るＦＰＣ等を介して電気的に接続される。
【００４４】
上側ユニット１００の一主表面（表示面）には、表示部１０１、受話用スピーカ１０２、報知用スピーカ１０３等が配設されている。また、他表面には光センサ１０４等が配設されている。
【００４５】
上側ユニット１００の一主表面において、表示部１０１は、例えば液晶ディスプレイ（ＬＣＤ）により構成され、その表示面が略矩形形状となり、各種の情報・画像を表示する。表示情報として、例えば着信時報知情報を表示する。スピーカ（受話用）１０２は、通話時の受話音声を出力する。スピーカ（報知用）１０３は、楽音情報として例えば着信報知楽音を出力する。
【００４６】
上側ユニット１００の他主表面において、光センサ１０４は、本折り畳み型携帯電話機の載置状態を検出するためのセンサユニットである。載置状態の検出とは、机上などに本携帯電話機が載置されていて上下ユニット１００，２００の開閉動作が可能・適切であるか、あるいは、机上など水平面上には載置されておらず開閉動作は不可能・不適切であるか、についての検出を指している。光センサとしたのは一例であり他方式のセンサでも良い。
【００４７】
下側ユニット２００の一主表面（操作面）には、操作入力部２０８、送話用マイクロフォン２０７等が配置されている。また、他主表面には光センサ２０９等が配置されている。
【００４８】
下側ユニット２００の一主表面において、操作入力部２０８は、この折り畳み型携帯電話機の備えた各種機能を利用するための操作入力を行うインタフェースとなるキースイッチである。ユーザは、この操作入力部２０８により、本実施形態における発信者情報、受信メッセージ情報、それらの受信時における相対位置についてのユーザ登録・設定、報知モードの切替入力などを行う。本実施形態における報知モードは、着呼／メール受信報知モード、電池状態報知モード、着信未応答報知モードを例示している。
マイクロフォン２０７は、送話の際の音声入力部である。
【００４９】
下側ユニット２００の他主表面において、光センサ２０９は、上側ユニット１００に設けられた光センサ１０４と同様、本折り畳み型携帯電話機の載置状態を検出するためのセンサである。光センサ２０９の検出と、光センサ１０４の検出とをもとに、制御部２０１で携帯電話機の載置状態を判断する。
また、この他主表面に、本携帯電話機を駆動させる駆動用電源である電池２１１を収納するためのスペース（不図示）が設けられ、そのスペースに電池２１１が所定の方向に配置される。
【００５０】
下側ユニット２００の図示しないケース（筐体）内部には、制御部２０１、モータ駆動回路２０２、モータ２０３、記憶部２０４、無線部２０５、送受話回路２０６、電池状態検知手段２１０等が配設されている。
【００５１】
制御部２０１は、本折り畳み型携帯電話機の各部を制御する。制御部２０１には、無線部２０５、記憶部２０４、操作入力部２０８、センサ２０９、センサ１０４、開閉スイッチ３０１、表示部１０１、スピーカ１０３、モータ駆動回路２０２、電池状態検知手段２１０等が接続されている。
【００５２】
無線部２０５は、通信用のアンテナユニットを介して無線基地局との間で無線信号を送受信し、自機に対する着呼やデータ（電子メール等のメッセージ）の受信の検出などを処理する回路である。送受話回路２０６は、通話状態となった際に無線基地局との間で音声信号を送受する処理を行う。マイク２０７を通じて入力音声を送話信号にし、またスピーカ１０２を通じて受話信号を音声出力する。
【００５３】
記憶部２０４は、本折り畳み型携帯電話機における各種設定情報、電話帳情報、受信メッセージ等の各種情報・データを記憶するメモリである。また特に、本発明に関連して、着呼時やメッセージ受信時に対応する発信者を識別するための発信者情報や、受信メッセージの優先度、特定キーワード等の設定情報が記憶される。また、後述する上下ユニット開閉制御時の開閉（回動）位置の設定のためのユーザ設定情報なども記憶管理される。
【００５４】
開閉スイッチ３０１は、ヒンジユニット３００の端部等に配設され、上下のユニット１００、２００をワンタッチで開閉動作させる機能を担うスイッチである。開閉スイッチ入力と開閉動作の詳細との対応については各種有り得るがここでは問わない。通常時には、開閉スイッチ３０１の押下（ＯＮ／ＯＦＦ）に応じて、ヒンジ駆動装置たるモータ２０３他の機構を通じてヒンジユニット３００を開閉動作させることができる。
【００５５】
モータ駆動回路２０２に接続されたモータ２０３は、ヒンジユニット３００における図示しない開閉駆動機構に駆動力を伝達して上下のユニット１００、２００を開閉動作させる部分である。開閉スイッチ３０１の押下や着信時における制御部２０１からの命令に応じて、モータ駆動回路２０２はモータ２０３を駆動させる。ヒンジユニット３００の開閉駆動機構に駆動力が伝達されると、上側ユニット１００と下側ユニット２００の相対関係から成る携帯電話機筐体の姿勢状態（回動・開閉の状態、相対位置・角度）が閉から開へ、あるいは開から閉へと状態を移行する。
【００５６】
なお、図１のようにモータ２０３およびモータ駆動回路２０２が下側ユニット２００の図示しないケース内部に配設される形態以外に、例えばヒンジユニット３００内に配設される形態であっても良い。
【００５７】
電池状態検知手段２１０は、電池２１１の充電中／非充電中、あるいは電池残容量を検知する。電池状態の検知方法は、各種のものであってよい。
上述した制御部２０１は、電池状態報知モードに設定されている場合、電池状態検知手段２１０により検知された充電中／非充電中、あるいは電池残容量に基づいてモータ駆動回路２０２を制御し、モータ２０３によるヒンジユニット３００の開閉動作を制御する。
【００５８】
また、上述した制御部２０１は、着信未応答報知モードに設定されている場合、着信未応答（不在着信）時に、同一発信者からの所定時間内における着信未応答（不在着信）件数に応じてモータ駆動回路２０２を制御し、上側ユニット１００と下側ユニット２００とを所定の相対位置（ヒンジユニット３００の開き角度）となるように駆動させる。
【００５９】
上記のような基本構成に基づき、本実施形態の折り畳み型携帯電話機は、設定されている報知モードに応じて、着呼あるいはメッセージ受信時に、制御部２０１での制御に基づきモータ駆動回路２０２によりモータ２０３を駆動させてヒンジユニット３００の開閉駆動機構に駆動力を伝達し、上側ユニット１００と下側ユニット２００とを開閉（回動）動作させて筐体姿勢状態を変化させることによる報知処理を行う。この筐体の開閉・回動動作にあわせて従来型の報知処理（鳴音、発光、メッセージや画像の表示など）も行う。
【００６０】
このような着信時における姿勢状態の制御として、本発明における着呼／メール受信報知モードでは特に、着呼あるいは受信メッセージの情報から判別できる発信者情報や受信メッセージのタイプや内容などに基づき、上下ユニット１００，２００の開閉の角度を変えて報知を行う。つまりある特定の発信者からの着信の場合にこれに対応する角度での筐体開閉動作を行わせる等が可能となる。また、光センサ１０４及び光センサ２０９による筐体載置状態の検出に基づき、上記姿勢状態の制御を行うか否かの判断、あるいはその開閉角度を変化させるかの判断等の制御を行う。具体的には例えば、本携帯電話機筐体が机上に閉状態（上下ユニットの相対角度が０°）で載置されている場合に、ある特定の発信者からの着信があると、対応したある相対角度例えば９０°になるよう上下ユニットを開状態に移行させ、同時に着信音及び表示部画面での情報表示による報知を行う、等の制御が行われる。
【００６１】
本実施形態の折り畳み型携帯電話機には、着呼時あるいはメッセージ受信時の開閉・回動制御の動作を決定する設定情報として、例えば、図３に示されるような開閉動作設定情報が予め登録される。開閉動作設定情報として、着信時の開動作時の角度を設定する。一実施形態として、携帯電話機にこの開閉動作のユーザ設定のための所定の設定インタフェース手段を備えていても良く、その場合、ユーザは、その所定の設定インタフェース手段を通じてこのような開閉動作設定情報の登録を行う。
【００６２】
図３で、例として、左のテーブルは、発信者情報と開閉位置（開閉角度）との対応を示す。着信時におけるその発信者が、このテーブルに登録・設定されている発信者（例えば発信者番号“AAA-BBBB-CCCC ”〜“MMM-NNNN-OOOO ”で識別される）と一致する場合に、それに対応する開閉位置で示す角度に開閉動作させて報知を行う。また、右のテーブルは、受信メッセージ情報と開閉位置（開閉角度）との対応を示す。電子メール等の受信メッセージにおけるその優先度情報と、このテーブルに登録・設定されている優先度（Lowest〜Highest ）と開閉位置の対応とを参照し、受信メッセージの優先度に対応する開閉角度で開閉動作させて報知を行う。例として受信メッセージの優先度が高い場合に大きい角度で開閉−報知動作させるような設定を示している。
【００６３】
また、図３では、開閉位置として３種（(1),(2),(1)'）を示しており、これは図２のフローチャートに示す３つのモータ駆動制御処理（モータ駆動制御(1),(2),(1)'）に対応している。筐体の載置状態（センサ１０４等により検出・判断する）や、着信に対してのユーザ未応答時など、携帯電話機の状態に応じて異なる開閉制御を行うものである。
【００６４】
また図４は、本携帯電話機の開閉制御時の開閉位置について示す説明図である。本図は筐体側面から見た図であり、上側ユニット１００及び下側ユニット２００の開閉相対角度として、開閉位置(1) 、開閉位置(2) 、開閉位置(1)'の３種についてそれぞれ示している（図２、図３に対応している）。
【００６５】
上下ユニットの開閉制御の際の開閉位置の設定は、任意角度に設定可能としても良いし、また、予めいくつかのパターン（例えば図３に示すようなもの）を用意しておいてそのパターンの設定に基づき制御する形態でも良い。
【００６６】
また、センサによる筐体載置状態の検出の方式はいくつか有り得るが、例えば、以下のような方式で行う。携帯電話機筐体の上下のユニット１００，２００で、これら上下のユニットが閉じた状態で外部に露出するそれぞれの面（外側面）に上側ユニット面センサ１０４、下側ユニット面センサ２０９を配設した構造とする。上側ユニットにおけるセンサ１０４の検出が「明」、下側ユニット２０９におけるセンサの検出が「暗」となるとき、携帯電話機が机上などに載置されている、と判定する。
【００６７】
また、本実施形態における他の報知モードである電池状態報知モードが設定されている場合、電池状態検知手段２１０が電池２１１の充電中／非充電中、あるいは電池残容量を検知し、その検知結果により制御部２０１がモータ駆動回路２０２を制御し、モータ２０３によるヒンジユニット３００の開閉動作を制御することで、電池２１１の充電中／非充電中、あるいは電池残容量を報知する。
この報知における動作を決定する設定情報として、例えば、図６に示されるような開閉動作設定情報が、上述した図３に示される開閉動作設定情報と同様に予め登録される。図中、開閉位置として示される（３）から（５）は、図５のフローチャートに示される３つのモータ駆動制御処理（モータ駆動制御（３）から（５））に対応している。
【００６８】
また、本実施形態における他の報知モードである着信未応答報知モードが設定されている場合、着信未応答（不在着信）時に、同一発信者からの所定時間内における着信未応答（不在着信）件数に応じて上側ユニット１００と下側ユニット２００とを所定の相対位置（ヒンジユニット３００の開き角度）とするように制御部２０１が制御し、着信未応答件数を報知する。
この報知における動作を決定する設定情報として、例えば、図８に示されるような開閉動作設定情報が、上述した図３に示される開閉動作設定情報と同様に予め登録される。図中、開閉位置として示される（６）から（８）は、図７のフローチャートに示される３つのモータ駆動制御処理（モータ駆動制御（６）から（８））に対応している。
【００６９】
なお、載置状態の検出は、光センサによる方式でなくても良いし、また上側ユニット１００と下側ユニット２００の双方にセンサを設けなくても載置が検出できれば適宜の方法で良い。
【００７０】
本発明の実施形態におけるヒンジ駆動装置を備えた折り畳み型携帯電話機における着呼／メール受信報知モード時の処理動作について、図２の制御フローチャート及び図３、図４を参照して説明する。
【００７１】
本実施形態の折り畳み型携帯電話機において、まず、無線部２０５が自機に対する着呼やメッセージ受信を検出すると、その旨を制御部２０１に通知する（Ｓ１０１−ＹＥＳ）。次に、制御部２０１は、着呼あるいは受信メッセージについて、その発信者情報として例えば発信者番号を、あるいはその受信メッセージ情報として例えばメール優先度などをチェックし（ステップＳ１０２）、記憶部２０４に記憶・登録されている発信者情報あるいは受信メッセージ情報（開閉動作設定情報）との比較処理（一致／不一致の判定処理）を行なう（ステップＳ１０３）。一致しない場合つまり開閉動作制御させる対象の発信者でなかった等の場合（ステップＳ１０３−ＮＯ）、通常の報知処理が行われる（「終了」）。一致する場合つまり開閉動作制御させる対象の発信者であった等の場合（ステップＳ１０３−ＹＥＳ）、以後のモータ駆動制御（筐体開閉−報知の制御）が行われることになる。
【００７２】
発信者／受信メッセージ情報の参照から、筐体開閉動作−報知の制御を行うことを決定すると、次に、光センサ１０４及び光センサ２０９の検出出力値をもとに本折り畳み型携帯電話機が机上などに載置された状態（開閉動作が可能・適切な状態）にあるか否かを判定する（ステップＳ１０４）。発信者情報／受信メッセージ情報の判断（ステップＳ１０２、Ｓ１０３）と、光センサ１０４及び光センサ２０９の検出値に基づく筐体載置状態の判断結果（ステップＳ１０４）と、をもとに、モータ駆動制御（開閉位置）のタイプ（開閉位置(1) または(1)'）が決定される。筐体が机上などに載置されていると判断した場合（ステップＳ１０４−ＹＥＳ）、モータ駆動制御(1) の実行を決定する。
【００７３】
上記開閉位置の決定（(1) または(1)'）に基づき、上側ユニット１００と下側ユニット２００の相対位置（角度）が所定の設定・登録値となるように図３に示したような設定情報に基づいてモータ駆動回路２０２及びモータ２０３を制御し（ステップＳ１０５またはＳ１０８）、併せてスピーカ（報知）１０３や表示部１０１を通じて聴覚的及び視覚的な報知処理を行う。着信楽音を鳴音したり、上側ユニット１００における表示器画面への発信者情報の表示処理などを行う。
【００７４】
更に、折り畳み型携帯電話機が机上に載置された状態にあり、かつ自機に対する着呼やメッセージ受信にユーザが応答しなかった場合には（ステップＳ１０６−ＮＯ）、モータ駆動制御(2) として、上側ユニット１００と下側ユニット２００との相対位置が所定値（＝開閉位置(2) ）となるようモータ駆動回路２０２、モータ２０３を制御する（ステップＳ１０７）。これにより、上下ユニットの角度状態によって不在着信の存在をユーザに対して示すことができる。
【００７５】
図４での開閉位置制御の例を説明すると、まずモータ駆動制御(1) として、筐体が机上にあり閉状態であると判断した場合に開閉位置(1) ＝約９０°まで開動作させる。また筐体が机上にないと判断した場合には、モータ駆動制御(1)'として、開閉位置(1)'＝０°〜１０°程度に開動作させるのに留める。開閉位置(1) へ開動作させて報知を行った後、ユーザが未応答であった場合に、モータ駆動制御(2) として、開閉位置(2) ＝約６０°に戻して不在着信を表す。
【００７６】
次に、本実施形態としてのヒンジ駆動装置を備えた折り畳み型携帯電話機における電池状態報知モード時の処理動作について、図５の制御フローチャート及び図６を参照して説明する。
【００７７】
本実施形態の折り畳み型携帯電話機において、まず、無線部２０５が自機に対する着呼やメッセージ受信を検出すると、その旨を制御部２０１に通知する（ステップＳ２０１−ＹＥＳ）。次に、制御部２０１は、着呼あるいは受信メッセージについて、その発信者情報として例えば発信者番号を、あるいはその受信メッセージ情報として例えばメール優先度などをチェックし（ステップＳ２０２）、記憶部２０４に記憶・登録されている発信者情報あるいは受信メッセージ情報（開閉動作設定情報）との比較処理（一致／不一致の判定処理）を行なう（ステップＳ２０３）。
【００７８】
一致しない場合つまり開閉動作制御させる対象の発信者でなかった等の場合（ステップＳ１０３−ＮＯ）、通常の報知処理が行われる（「終了」）。一致する場合つまり開閉動作制御させる対象の発信者であった等の場合（ステップＳ２０３−ＹＥＳ）、以後のモータ駆動制御（筐体開閉−報知の制御）が行われることになる。
【００７９】
発信者／受信メッセージ情報の参照から、筐体開閉動作−報知の制御を行うことを決定すると、次に、電池２１１の充電中／非充電中あるいは電池残容量を検知する電池状態検知手段２１０の検知結果（出力値）をもとに携帯電話機が充電中にあるか否か（ステップＳ２０４）、更に携帯電話機が充電中でない場合は、電池残量が所定値以上であるか否か（開閉動作が可能・適切な状態）を判定する（ステップＳ２０８）。
【００８０】
発信者情報／受信メッセージ情報の判断（ステップＳ２０２、Ｓ２０３）と、電池状態検知手段２１０の検知結果に基づく充電状態／電池残量の判断結果（ステップＳ１０４、Ｓ２０８）と、をもとに、モータ駆動制御（開閉位置）のタイプ（開閉位置（３）または（５））が決定される。
【００８１】
更に、本実施形態としての携帯電話機が充電状態にあり、かつ自機に対する着呼やメッセージ受信にユーザが応答しなかった場合には（ステップＳ２０６−ＮＯ）、モータ駆動制御（４）として、上側ユニット１００と下側ユニット２００との相対位置が所定値（＝開閉位置（４））となるよう、制御部２０１はモータ駆動回路２０２、モータ２０３を制御する（ステップＳ２０７）。これにより、上下ユニットの角度状態によって不在着信の存在をユーザに対して示すことができる。
【００８２】
次に、本実施形態としてのヒンジ駆動装置を備えた折り畳み型携帯電話機における着信未応答報知モード時の処理動作について、図７の制御フローチャート及び図８を参照して説明する。
【００８３】
本実施形態としての折り畳み型携帯電話機において、まず、無線部２０５が自機に対する着呼を検出すると、その旨を制御部２０１に通知する（ステップＳ３０１−ＹＥＳ）。次に、制御部２０１は、着呼について、その発信者情報として、例えば発信者番号ををチェックし（ステップＳ３０２）、記憶部２０４に記憶・登録されている発信者情報との比較処理（一致／不一致の判定処理）を行なう（ステップＳ３０３）。
【００８４】
一致しない場合つまり開閉動作制御させる対象の発信者でなかった等の場合（ステップＳ３０３−ＮＯ）、通常の報知処理が行われる（「終了」）。更に、記憶部２０４の着信履歴を参照して、該発信者情報による、例えば、６時間以内の前回着信が未応答であるか否かの判定を行い、前回着信が未応答である場合は、以後のモータ駆動制御（筐体開閉−報知の制御）が行われることになる。
【００８５】
前回着信が未応答である場合は、同一発信者からの着信未応答件数（例えば、６時間以内の当該発信者からの着信未応答件数）を記憶部２０４を参照して計数し、図７に示す例では、３件未満である場合はモーター駆動制御（６）、３件以上である場合はモータ駆動制御（７）が決定される（ステップＳ３０６、Ｓ３０７）。
【００８６】
更に、ステップＳ３０７で着呼にユーザが応答しなかった場合には（ステップＳ３０８−ＮＯ）、モータ駆動制御（８）として、上側ユニット１００と下側ユニット２００との相対位置が所定値（＝開閉位置（８））となるよう、制御部２０１はモータ駆動回路２０２、モータ２０３を制御する（ステップＳ２０７）。これにより、上下ユニットの角度状態によって不在着信の存在をユーザに対して示すことができる。
【００８７】
なお、着信未応答件数を報知する閾値となる件数は、上述した図７に示す例では３件として説明しているが、ユーザの設定により任意の件数であってよい。
また、特定の発信者からの着信未応答件数のカウント時間も、上述した６時間に限定されず、ユーザの設定により任意の時間であってよい。
【００８８】
また、上述した各報知モードにおける報知動作について、上側ユニット１００と下側ユニット２００との相対位置への駆動制御は、設定に基づく所定角度までの開制御（所定角度の開状態へ移行して停止する）だけでなく、所定角度までの開閉を報知期間に渡って繰り返す（所定の開閉周期で閉→開→閉→開→…の動作を繰り返す）等であっても良い。
【００８９】
また、折り畳み型携帯電話機が検出する受信メッセージ情報はメール優先度に限定されるものではなく、発信元のメールアドレス、メール本文や件名（タイトル）等に含まれる予め指定したキーワードであっても良い。それらに対応して筐体開閉動作制御を決定する。
【００９０】
また、センサにより筐体載置状態の検出を行ってそれに基づき開閉位置を決定する制御を行うだけでなく、例えば、所定の入力操作に応じて本発明のような開閉制御を行うモードへと移行する／通常モードに戻す制御を行うようにしても良い。これにより、必要時にユーザが机上に携帯電話機筐体を載置してこの入力操作を行って開閉制御を行うモードへと移行させる等の利用法が可能である。
【００９１】
また、上下ユニットの閉開動作時に障害となる所定の反力を検出した場合に開動作を停止する等の機能をさらに備えても良い。これにより開閉動作時に障害物があった場合等における望まない故障や誤動作などを防止することができる。
【００９２】
なお、本実施形態では折り畳み型携帯電話機について説明したが、無線通信機能を備え、ヒンジ駆動装置により上側ユニットと下側ユニットが回動・開閉自在に結合された形態を持つ携帯型の情報端末装置一般に対して同様に適用できる。
例えば、図９、図１０に示すようなスライド型の携帯電話機であっても、本発明は同様に適用可能である。図９は上側ユニット４００と下側ユニット５００との２つのユニットにおける開状態を示し、図１０は閉状態を示す。
【００９３】
このスライド型の携帯電話機は、上側ユニット４００の外周部に設けられたスライド部６１０と、下側ユニット５００の側面に設けられてスライド部６１０をスライド可能に連結させるスライドレール６２０とを備え、このスライド機構６００（スライド部６１０＋スライドレール６２０）により上側ユニット４００と下側ユニット５００とがスライド可能に連結されている。
【００９４】
このスライド型の携帯電話機に本発明が適用される場合、例えば着呼／メール受信報知モードにおける図３に例示した設定情報は、図１１に例示するようにスライドさせる距離によって設定される。
すなわち、制御部が着呼時あるいはメッセージ受信時にモータを制御し、スライドレール６２０に沿ってスライド部６１０をスライド駆動させることで、上下の２つのユニットを所定の相対位置に移行させ、ユーザに対する報知を行う。
このときのスライド動作における開閉制御での開閉位置（所定の相対位置）の概略を、図１２に示す。
【００９５】
また、図１３、図１４に示すような回動型の携帯電話機であっても、本発明は同様に適用可能である。図１３は上側ユニット７００と下側ユニット８００との２つのユニットにおける開状態を示し、図１４は閉状態を示す。
この回動型の携帯電話機は、上下の２つのユニットを表示部に略垂直な回動軸で軸支する回動連結部９００を備え、上下の２つのユニットがこの回動連結部９００により回動可能に連結されてなる。
【００９６】
この回動型の携帯電話機に本発明が適用される場合、例えば着呼／メール受信報知モードにおける図３に例示した設定情報は、図１５に例示するように、上下の２つのユニットが表示部に略垂直な回動軸により回転されてなる相対角度によって設定される。
すなわち、制御部が着呼時あるいはメッセージ受信時にモータを制御し、回動連結部９００を中心に上下の２つのユニットの相対角度を所定の角度とすることで、ユーザに対する報知を行う。
このときの回転動作における開閉制御での開閉位置（所定の相対位置）の概略を、図１６に示す。
【００９７】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
例えば、本発明の適用対象は、携帯型情報端末装置であれば上述した実施形態としての携帯電話機に限定されず、ＰＤＡ（Personal Digital Assistant）などであってもよい。
【図面の簡単な説明】
【００９８】
【図１】本発明の実施の形態におけるヒンジ駆動装置を備えた折り畳み型携帯電話機の構成を示す図である。
【図２】本発明の実施の形態におけるヒンジ駆動装置を備えた折り畳み型携帯電話機での着呼／メール受信報知モードにおける処理制御の手順を示すフローチャートである。
【図３】着呼／メール受信報知モードにおける開閉動作設定情報の例について示す図である。
【図４】本発明の実施の形態におけるヒンジ駆動装置を備えた折り畳み型携帯電話機での開閉位置の例について示す側面図である。
【図５】電池状態報知モードにおける処理制御の手順を示すフローチャートである。
【図６】電池状態報知モードにおける開閉動作設定情報の例について示す図である。
【図７】着信未応答報知モードにおける処理制御の手順を示すフローチャートである。
【図８】着信未応答報知モードにおける開閉動作設定情報の例について示す図である。
【図９】本発明の実施の形態としてのスライド型の携帯電話機における開状態での外観を示す図である。
【図１０】同、閉状態での外観を示す図である。
【図１１】本発明の実施の形態としてのスライド型の携帯電話機における着呼／メール受信報知モードでの開閉動作設定情報の例について示す図である。
【図１２】スライド動作における開閉制御での開閉位置の例について示す図である。
【図１３】本発明の実施の形態としての回動型の携帯電話機における開状態での外観を示す図である。
【図１４】同、閉状態での外観を示す図である。
【図１５】本発明の実施の形態としての回動型の携帯電話機における着呼／メール受信報知モードでの開閉動作設定情報の例について示す図である。
【図１６】回動動作における開閉制御での開閉位置の例について示す図である。
【符号の説明】
【００９９】
１００、４００、７００    上側ユニット
２００、５００、８００    下側ユニット
３００    ヒンジユニット
１０１    表示部
１０２    スピーカ（受話用）
１０３    スピーカ（報知用）
１０４    センサ
２０１    制御部
２０２    モータ駆動回路
２０３    モータ
２０４    記憶部
２０５    無線部
２０６    送受話回路
２０７    マイク
２０８    操作入力部
２０９    センサ
２１０    電池状態検知手段
２１１    電池
３０１    開閉スイッチ
６００    スライド機構
６１０    スライド部
６２０    スライドレール
９００    回動連結部
【図１】
2004173233.tif 000003
【図２】
2004173233.tif 000004
【図３】
2004173233.tif 000005
【図４】
2004173233.tif 000006
【図５】
2004173233.tif 000007
【図６】
2004173233.tif 000008
【図７】
2004173233.tif 000009
【図８】
2004173233.tif 000010
【図９】
2004173233.tif 000011
【図１０】
2004173233.tif 000012
【図１１】
2004173233.tif 000013
【図１２】
2004173233.tif 000014
【図１３】
2004173233.tif 000015
【図１４】
2004173233.tif 000016
【図１５】
2004173233.tif 000017
【図１６】
2004173233.tif 000018